(57)【要約】【課題】コーナ部の半径方向内側の転動体がフレーム上面だけに接触する構成と比較して、コーナ部の半径方向外側の転動体が主案内路を跨ぐときの跨ぎ音の発生を抑制する移動部材支持構造を得る。【解決手段】移動部材支持構造１０８は、支持板５１と、支持板５１の共通溝５２１の途中から分岐された針有り溝５２７を備え、針有り溝５２７が後側湾曲部５２７Ａを備えた案内溝５２とを有する。移動部材支持構造１０８は、支持板５１の上を案内溝５２に沿って移動すると共に、後側湾曲部５２７Ａを移動するときに半径方向外側の第１針有りホイール９９１、第２針有りホイール９９２が針無し溝５２５を跨ぐ針有り綴じ部９０と、針有り綴じ部９０が後側湾曲部５２７Ａを移動するときに半径方向内側の第３針有りホイール９９３を支持板５１の側に押さえる第２押え部１１６と、を有する。【選択図】図１１
2020026348.tif 000002
【特許請求の範囲】
【請求項１】
フレームと、
前記フレームに設けられ、主案内路の途中から分岐された分岐部を備え、前記分岐部が前記主案内路から交差する方向に湾曲するコーナ部を備えたガイド溝と、
前記ガイド溝に移動可能に挿入される挿入部と、前記ガイド溝を挟んで配置された複数の転動体と、を備え、前記フレームの上を前記ガイド溝に沿って移動すると共に、前記コーナ部を移動するときに半径方向外側の前記転動体が前記主案内路を跨ぐ移動部材と、
前記移動部材が前記コーナ部を移動するときに半径方向内側の前記転動体を前記フレームから離間する方向へ移動するのを押さえる押え部と、
を有する移動部材支持構造。
【請求項２】
前記フレームは、前記主案内路に対して前記分岐部が上側となるように傾斜している請求項１に記載の移動部材支持構造。
【請求項３】
前記コーナ部を移動するときの半径方向外側の前記転動体は、２つ以上設けられている請求項１又は請求項２に記載の移動部材支持構造。
【請求項４】
２つの前記転動体が前記主案内路を跨ぐときに、前記コーナ部を移動する半径方向内側の前記転動体を少なくとも１つの前記押え部が押さえる構成とされている請求項３に記載の移動部材支持構造。
【請求項５】
前記フレームには、前記コーナ部を移動する半径方向外側の２つ以上の前記転動体の移動軌跡の重なる位置に、補強部が設けられている請求項３又は請求項４に記載の移動部材支持構造。
【請求項６】
前記補強部は、２つの前記転動体の軌跡の端部が通らない位置に設けられている請求項５に記載の移動部材支持構造。
【請求項７】
前記コーナ部を移動するときの半径方向内側の前記転動体は、１つ以上設けられており、半径方向外側のいずれかの転動体が前記主案内路を跨ぐときに、半径方向内側の前記転動体の少なくとも１つの転動体を前記押え部が押さえる構成とされている請求項３から請求項６までのいずれか１項に記載の移動部材支持構造。
【請求項８】
半径方向外側の２つ以上の前記転動体が前記主案内路を跨ぐときに、半径方向内側の２つ以上の前記転動体のうち、前記分岐部の側に配置された前記転動体を前記押え部が押さえる構成とされている請求項７に記載の移動部材支持構造。
【請求項９】
前記押え部は、前記フレームから立ち上がる縦壁と、前記縦壁から前記フレームの面に沿って配置された平面状の横壁と、を備える請求項１から請求項８までのいずれか１項に記載の移動部材支持構造。
【請求項１０】
前記転動体が前記主案内路を跨ぐときに、上方から見て少なくとも１つの前記転動体の軸方向の両側が前記主案内路の中にある請求項１から請求項９までのいずれか１項に記載の移動部材支持構造。
【請求項１１】
前記移動部材として、前記主案内路を往復移動する第１移動部材と、前記主案内路と前記主案内路の途中の前記分岐部とを往復移動する第２移動部材と、を備える請求項１から請求項９までのいずれか１項に記載の移動部材支持構造。
【請求項１２】
請求項１から請求項１０のいずれか１項に記載の移動部材支持構造を備え、前記移動部材の移動により、画像が形成された記録媒体の後処理を行う後処理装置。
【請求項１３】
請求項１１に記載の移動部材支持構造を備え、
前記第１移動部材は、画像が形成された記録媒体の第１の後処理を行い、前記第２移動部材は、画像が形成された他の記録媒体の第２の後処理を行う構成とされており、
前記第１移動部材が前記第１の後処理を行うときに、前記第２移動部材が前記分岐部に移動し、
前記第２移動部材が前記第２の後処理を行うときに、前記第１移動部材が前記主案内路における前記第２移動部材が移動しない側の端部に移動する後処理装置。
【請求項１４】
記録媒体を搬送し、前記記録媒体上にトナー像を形成する画像形成手段と、
前記記録媒体の搬送方向における前記画像形成手段よりも下流側に設けられた請求項１２又は請求項１３に記載の後処理装置と、
を有する画像形成システム。
【発明の詳細な説明】
【技術分野】
【０００１】
本発明は、移動部材支持構造、後処理装置及び画像形成システムに関する。
【背景技術】
【０００２】
下記特許文献１には、針なし綴じ手段と針有り綴じ手段とを備え、針有り綴じ手段の使用時に針なし綴じ手段が移動できない構成とされたシート処理装置が開示されている。
【０００３】
下記特許文献２には、針なし綴じ手段と針有り綴じ手段とを備え、針有り綴じ手段の使用時に針なし綴じ手段が移動できない構成とされたシート処理装置が開示されている。
【０００４】
下記特許文献３には、針なし綴じ手段と針有り綴じ手段とを備え、針有り綴じ手段の使用時に針なし綴じ手段が移動できない構成とされたシート処理装置が開示されている。
【先行技術文献】
【特許文献】
【０００５】
【特許文献１】特許６２８２４１６号公報
【特許文献２】特許６１９４４９４号公報
【特許文献３】特開２０１８−３９６７６号公報
【発明の概要】
【発明が解決しようとする課題】
【０００６】
本発明は、コーナ部の半径方向内側の転動体がフレーム上面だけに接触する構成と比較して、コーナ部の半径方向外側の転動体が主案内路を跨ぐときの跨ぎ音の発生を抑制する移動部材支持構造、後処理装置及び画像形成システムを得ることが目的である。
【課題を解決するための手段】
【０００７】
請求項１に記載の発明に係る移動部材支持構造は、フレームと、前記フレームに設けられ、主案内路の途中から分岐された分岐部を備え、前記分岐部が前記主案内路から交差する方向に湾曲するコーナ部を備えたガイド溝と、前記ガイド溝に移動可能に挿入される挿入部と、前記ガイド溝を挟んで配置された複数の転動体と、を備え、前記フレームの上を前記ガイド溝に沿って移動すると共に、前記コーナ部を移動するときに半径方向外側の前記転動体が前記主案内路を跨ぐ移動部材と、前記移動部材が前記コーナ部を移動するときに半径方向内側の前記転動体を前記フレームから離間する方向へ移動するのを押さえる押え部と、を有する。
【０００８】
請求項２に記載の発明は、請求項１に記載の移動部材支持構造において、前記フレームは、前記主案内路に対して前記分岐部が上側となるように傾斜している。
【０００９】
請求項３に記載の発明は、請求項１又は請求項２に記載の移動部材支持構造において、前記コーナ部を移動するときの半径方向外側の前記転動体は、２つ以上設けられている。
【００１０】
請求項４に記載の発明は、請求項３に記載の移動部材支持構造において、２つの前記転動体が前記主案内路を跨ぐときに、前記コーナ部を移動する半径方向内側の前記転動体を少なくとも１つの前記押え部が押さえる構成とされている。
【００１１】
請求項５に記載の発明は、請求項３又は請求項４に記載の移動部材支持構造において、前記フレームには、前記コーナ部を移動する半径方向外側の２つ以上の前記転動体の移動軌跡の重なる位置に、補強部が設けられている。
【００１２】
請求項６に記載の発明は、請求項５に記載の移動部材支持構造において、前記補強部は、２つの前記転動体の軌跡の端部が通らない位置に設けられている。
【００１３】
請求項７に記載の発明は、請求項３から請求項６までのいずれか１項に記載の移動部材支持構造において、前記コーナ部を移動するときの半径方向内側の前記転動体は、１つ以上設けられており、半径方向外側のいずれかの転動体が前記主案内路を跨ぐときに、半径方向内側の前記転動体の少なくとも１つの転動体を前記押え部が押さえる構成とされている。
【００１４】
請求項８に記載の発明は、請求項７に記載の移動部材支持構造において、半径方向外側の２つ以上の前記転動体が前記主案内路を跨ぐときに、半径方向内側の２つ以上の前記転動体のうち、前記分岐部の側に配置された前記転動体を前記押え部が押さえる構成とされている。
【００１５】
請求項９に記載の発明は、請求項１から請求項８までのいずれか１項に記載の移動部材支持構造において、前記押え部は、前記フレームから立ち上がる縦壁と、前記縦壁から前記フレームの面に沿って配置された平面状の横壁と、を備える。
【００１６】
請求項１０に記載の発明は、請求項１から請求項９までのいずれか１項に記載の移動部材支持構造において、前記転動体が前記主案内路を跨ぐときに、上方から見て少なくとも１つの前記転動体の軸方向の両側が前記主案内路の中にある。
【００１７】
請求項１１に記載の発明は、請求項１に記載の移動部材支持構造において、前記移動部材として、前記主案内路を往復移動する第１移動部材と、前記主案内路と前記主案内路の途中の前記分岐部とを往復移動する第２移動部材と、を備える。
【００１８】
請求項１２に記載の発明に係る後処理装置は、請求項１から請求項１０のいずれか１項に記載の移動部材支持構造を備え、前記移動部材の移動により、画像が形成された記録媒体の後処理を行う。
【００１９】
請求項１３に記載の発明に係る後処理装置は、請求項１１に記載の移動部材支持構造を備え、前記第１移動部材は、画像が形成された記録媒体の第１の後処理を行い、前記第２移動部材は、画像が形成された他の記録媒体の第２の後処理を行う構成とされており、前記第１移動部材が前記第１の後処理を行うときに、前記第２移動部材が前記分岐部に移動し、前記第２移動部材が前記第２の後処理を行うときに、前記第１移動部材が前記主案内路における前記第２移動部材が移動しない側の端部に移動する。
【００２０】
請求項１４に記載の発明に係る画像形成システムは、記録媒体を搬送し、前記記録媒体上にトナー像を形成する画像形成手段と、前記記録媒体の搬送方向における前記画像形成手段よりも下流側に設けられた請求項１２又は請求項１３に記載の後処理装置と、を有する。
【発明の効果】
【００２１】
請求項１に記載の発明によれば、コーナ部の半径方向内側の転動体がフレーム上面だけに接触する構成と比較して、コーナ部の半径方向外側の転動体が主案内路を跨ぐときの跨ぎ音の発生が抑制される。
【００２２】
請求項２に記載の発明によれば、フレームが傾斜している構成において、コーナ部の半径方向外側、すなわち傾斜方向の下側の転動体が主案内路を跨ぐときの跨ぎ音の発生が抑制される。
【００２３】
請求項３に記載の発明によれば、コーナ部を移動するときの半径方向外側の転動体が１つの場合と比較して、移動部材の移動が安定化する。
【００２４】
請求項４に記載の発明によれば、２つの転動体の両方が主案内路を跨ぐときに、半径方向内側の転動体を押さえる２つの押え部を設ける構成と比較して、構成が簡単になる。
【００２５】
請求項５に記載の発明によれば、フレームが補強されていない構成と比較して、移動部材がコーナ部を移動するときにコーナ部の半径方向外側の転動体が主案内路を跨ぐときの跨ぎ音の発生が抑制される。
【００２６】
請求項６に記載の発明によれば、２つの転動体の端部が通る位置に補強部が設けられている構成と比較して、補強部が転動体の走行を妨げることが抑制される。
【００２７】
請求項７に記載の発明によれば、２つの転動体の両方が主案内路を跨ぐときに、半径方向内側の転動体を押さえる２つの押え部を設ける構成と比較して、構成が簡単になる。
【００２８】
請求項８に記載の発明によれば、２つの転動体の両方が主案内路を跨ぐときに、半径方向内側の２つの転動体をそれぞれ押さえる構成と比較して、構成が簡単になる。
【００２９】
請求項９に記載の発明によれば、押え部がフレームの面に沿った横壁の縁部に折れ曲がり部を有する構成と比較して、押え部が移動部材と干渉しにくい。
【００３０】
請求項１０に記載の発明によれば、上方から見て転動体の軸方向の両側が主案内路の中にある場合でも、コーナ部の半径方向外側の転動体が主案内路を跨ぐときの跨ぎ音の発生が抑制される。
【００３１】
請求項１１に記載の発明によれば、移動部材が１つの場合に比べて、第１移動部材及び第２移動部材の一方を待機させた状態で、第１移動部材及び第２移動部材の他方をガイド溝に沿って移動させることができる。
【００３２】
請求項１２に記載の発明によれば、後処理装置が移動部材支持構造を備えない構成と比較して、移動部材におけるコーナ部の半径方向外側の転動体が主案内路を跨ぐときの跨ぎ音の発生が抑制される。
【００３３】
請求項１３に記載の発明によれば、第１移動部材と第２移動部材とを切り替える構成において、第２移動部材におけるコーナ部の半径方向外側の転動体が主案内路を跨ぐときの跨ぎ音の発生が抑制される。
【００３４】
請求項１４に記載の発明によれば、後処理装置が移動部材支持構造を備えない構成と比較して、移動部材におけるコーナ部の半径方向外側の転動体が主案内路を跨ぐときの跨ぎ音の発生が抑制される。
【図面の簡単な説明】
【００３５】
【図１】第１実施形態に係る綴じ処理装置を備えた画像形成システムを示す概略構成図である。
【図２】図１における矢印ＩＩから見た綴じ処理装置を示す平面図である。
【図３】第１実施形態に係る綴じ処理装置を示す斜視図である。
【図４】綴じ処理装置に用いられる綴じ案内部を示す構成図である。
【図５】綴じ処理装置に用いられる針有り綴じ部を示す斜視図である。
【図６】図５のＶＩ−ＶＩ線おける針有り綴じ部を示す断面図である。
【図７】針有り綴じ部及び針無し綴じ部を説明するための構成図である。
【図８】綴じ処理装置に用いられる支持板及び支持部材を示す斜視図である。
【図９】綴じ処理装置に用いられる支持板及び支持部材を示す側面図である。
【図１０】支持部材を示す斜視図である。
【図１１】針有り綴じ部におけるホイールの支持板上の移動軌跡を示す平面図である。
【図１２】針有り綴じ部における前側のホイールが針無し溝を跨ぐときの車輪の支持板上の移動軌跡を示す平面図である。
【図１３】針有り綴じ部における後側のホイールが針無し溝を跨ぐときの車輪の支持板上の移動軌跡を示す平面図である。
【図１４】針有り綴じ部における前側のホイールが針無し溝を跨ぐときの支持部材による支持状態を示す側面図である。
【図１５】第２実施形態に係る綴じ処理装置に用いられる針有り綴じ部における支持板の絞り部を示す平面図である。
【図１６】第３実施形態に係る綴じ処理装置に用いられる針有り綴じ部における支持板の絞り部を示す平面図である。
【図１７】比較例の針有り綴じ部における前側のホイールが針無し溝を跨ぐときの針有り綴じ部の状態を示す側面図である。
【発明を実施するための形態】
【００３６】
以下に、本発明に係る実施形態の一例を図面に基づいて説明する。
【００３７】
≪第１実施形態≫
図１〜図１４を用いて、第１実施形態の画像形成システム１００について説明する。
【００３８】
＜画像形成システム１００の全体構成＞
図１は、本実施の形態が適用される画像形成システム１００の構成を示した図である。図１に示されるように、画像形成システム１００は、記録媒体の一例としての用紙Ｐに対して電子写真方式等を用いて画像を形成する画像形成手段の一例としての画像形成装置１と、画像形成装置１により画像が形成された複数枚の用紙Ｐに対して後処理を行う後処理装置２と、を備える。
【００３９】
なお、以下の説明においては、図１における上下方向（鉛直方向）を単に「上下方向」ということがある。また、図１における上下方向における上側を単に「上側」、上下方向における下側を単に「下側」ということがある。また、図１に示す画像形成システム１００における紙面の奥行方向を、単に「幅方向」ということがある。また。図１における紙面手前側を単に「前側」、紙面奥側を単に「後側」ということがある。
【００４０】
＜画像形成装置１＞
画像形成装置１は、用紙Ｐを収容する用紙収容部１１、１２と、用紙Ｐに画像を形成する画像形成部１３と、画像が形成された用紙Ｐを排出する排出ロール１５と、画像形成装置１の動作を制御する本体制御部１６とを備える。
【００４１】
用紙収容部１１、１２は、各々サイズや種類の異なる用紙Ｐを収容する。図示の例においては、用紙収容部１１、１２は各々紙面手前側、すなわち幅方向前側に引き出し可能である。そして、用紙収容部１１、１２を引き出した状態で、ユーザなどによる用紙Ｐの補充作業がなされる。
【００４２】
画像形成部１３は、用紙収容部１１、１２から搬送されてくる用紙Ｐに画像を形成する。図示の例における画像形成部１３は、感光体に付着させたトナーを用紙Ｐに転写して像を形成する電子写真方式により用紙Ｐに画像を形成するが、インクを用紙Ｐ上に吐出して像を形成するインクジェット方式により画像を形成してもよい。
【００４３】
排出ロール１５は、画像形成部１３によって画像が形成された用紙Ｐを排出する。図示の例における排出ロール１５は、ロール対からなり、このロール対が各々回転することにともない、用紙Ｐが画像形成装置１から排出される。
【００４４】
本体制御部１６は、画像形成装置１に設けられる各構成部材の動作を制御する。また、図示の例における本体制御部１６は、後処理装置２に対して用紙Ｐの処理を実行する旨の指示信号を出力する。
【００４５】
ここで、画像形成装置１の動作について説明をする。まず、本体制御部１６から指示信号が出力されることにともない、用紙収容部１１、１２から用紙Ｐが１枚ずつ送り出される。そして、画像形成部１３によって用紙Ｐに画像が形成された後、画像が形成された用紙Ｐが排出ロール１５から排出される。
【００４６】
＜後処理装置２＞
後処理装置２は、画像形成装置１に接続されたトランスポートユニット２１と、トランスポートユニット２１により搬送されてきた用紙Ｐに対して予め定められた処理を施すフィニッシャユニット２２と、を備える。
【００４７】
トランスポートユニット２１は、画像形成装置１にて画像形成された用紙Ｐをフィニッシャユニット２２に向けて搬送する複数の搬送ロール２４と、用紙Ｐに対して２穴や４穴等の穴あけ（パンチ）を施すパンチ機能部２５と、を備える。
【００４８】
フィニッシャユニット２２には、用紙束Ｂに対する綴じ処理を行う後処理装置の一例としての綴じ処理装置３０と、綴じ処理装置３０に向けて用紙Ｐを搬送する搬送ロール３１と、綴じ処理装置３０によって綴じ処理が施された用紙束Ｂを排出する排出ロール３５と、排出された用紙束Ｂを積載する積載部３６と、後処理装置２に設けられる各構成部材の動作を制御する用紙処理制御部３７と、を備える。
【００４９】
ここで、後処理装置２の動作について説明をする。まず、本体制御部１６から用紙処理制御部３７に対し、用紙Ｐに対する処理を実行する旨の指示信号が出力されることを契機として、用紙処理制御部３７が後処理装置２の各構成部材に対して用紙Ｐの処理を実行する指示信号を出力する。
【００５０】
そして、後処理装置２のトランスポートユニット２１に対し、画像形成装置１により画像形成が行われた用紙Ｐが供給される。トランスポートユニット２１では、パンチ機能部２５による穴あけが行われた後、搬送ロール２４により搬送される用紙Ｐがフィニッシャユニット２２に供給される。
【００５１】
そして、フィニッシャユニット２２に供給された用紙Ｐは、搬送ロール３１によって搬送され、綴じ処理装置３０によって綴じ処理が施される。そして、綴じ処理装置３０によって綴じ処理が施された用紙束Ｂは、排出ロール３５によって積載部３６へと排出される。
【００５２】
＜用紙綴じ処理装置３０＞
図２は、図１における矢印ＩＩからみた用紙綴じ処理装置３０の図であり、図３は、綴じ処理装置３０を示す斜視図である。なお、図２は、用紙綴じ処理装置３０を模式的に示した図である。図１〜図３に示されるように、用紙綴じ処理装置３０は、用紙Ｐを集積し用紙束Ｂ（図１参照）を形成するとともに、用紙束Ｂに対する綴じ処理を施す。用紙綴じ処理装置３０は、印刷ジョブによって、ステープル（針）を用いずに用紙束Ｂに対して綴じ処理を行う針無し綴じ処理と、ステープルを用いて用紙束Ｂに対する綴じ処理を行う針有り綴じ処理とを選択でき、さらに各々の綴じ処理が施される用紙束Ｂにおける位置も選択可能である。
【００５３】
用紙綴じ処理装置３０は、用紙Ｐを集積して用紙束Ｂを形成する用紙集積部４０と、針無し綴じ処理を実行する針無し綴じ部７０と、針有り綴じ処理を実行する針有り綴じ部９０と、針無し綴じ部７０および針有り綴じ部９０を案内する綴じ案内部５０と、を備える。ここで、針無し綴じ部７０および針有り綴じ部９０は、移動部材の一例である。より詳細には、針無し綴じ部７０は、第１移動部材の一例であり、針有り綴じ部９０は、第２移動部材の一例である。また、針無し綴じ部７０による針無し綴じ処理は、第１の後処理の一例であり、針有り綴じ部９０による針有り綴じ処理は、第２の後処理の一例である。
【００５４】
＜用紙集積部４０＞
用紙集積部４０は、用紙Ｐを上下方向下側から支持するとともに用紙Ｐを必要枚数だけ集積させて用紙束Ｂを生成する集積板４１と、集積板４１に進入する用紙Ｐの先端が突き当たる突き当て部４５と、用紙Ｐを突き当て部４５に向けて搬送する搬送パドル４６と、集積板４１に集積される用紙Ｐの幅方向の位置を揃える幅方向揃え部４７と、を有する。
【００５５】
ここで、図１に示されるように、集積板４１は水平方向に対して傾斜して設けられる。図示の例においては、用紙Ｐを集積する面が、水平方向に対して３０度傾けて設けられる。このように集積板４１が傾けて設けられることにより、用紙Ｐが自重で集積板４１に沿って落下する。そして、用紙Ｐの先端が突き当て部４５に突き当たり、用紙Ｐの先端が揃えられる。なお、集積板４１で集積され綴じ処理が施された用紙束Ｂは、排出ロール３５によって、突き当て部４５から離間する向き（集積板４１に沿って上昇する向き）に排出される。
【００５６】
以下の説明においては、集積板４１に沿って落下あるいは上昇しながら用紙Ｐが搬送される方向を単に「搬送方向」ということがある。また、搬送方向における下側に向かう向き、すなわち突き当て部４５に向けて用紙Ｐが進入する向きを「進入側」ということがある。また。搬送方向における上側に向かう向き、すなわち突き当て部４５から退避する（離間する）向きに用紙Ｐ（用紙束Ｂ）が排出される向きを「退避側」ということがある。
【００５７】
突き当て部４５は、集積板４１に対する搬送方向進入側において、用紙Ｐの先端が突き当たる位置に設けられる。また、この突き当て部４５に突き当たる用紙Ｐの先端は、幅方向に沿って揃えられる。ここで、以下の説明においては、搬送方向進入側に搬送される用紙Ｐの先端を、単に「用紙Ｐの先端」ということがある。
【００５８】
搬送パドル４６は、集積板４１の上下方向上側に設けられる。この搬送パドル４６は、不図示の駆動源からの駆動を受けて回転することで、用紙Ｐを突き当て部４５側（搬送方向進入側）に搬送する。幅方向揃え部４７は、集積板４１を挟んで幅方向両側に設けられる。この幅方向揃え部４７は、不図示の駆動源からの駆動を受けて幅方向に移動することで、用紙Ｐの幅方向の位置を揃える。
【００５９】
＜綴じ案内部５０＞
図２〜図４に示されるように、綴じ案内部５０は、針無し綴じ部７０および針有り綴じ部９０を支持する支持板５１と、針無し綴じ部７０および針有り綴じ部９０を予め定めた方向に案内するレールとして機能する案内溝５２と、を備える。また、綴じ案内部５０は、針無し綴じ部７０の移動経路に沿って設けられるラックギアである針無しラック５３と、針有り綴じ部９０の移動経路に沿って設けられるラックギアである針有りラック５４と、を備える（図４参照）。さらに、綴じ案内部５０は、針無し綴じ部７０の姿勢を制御する針無し案内体５５と、針有り綴じ部９０の姿勢を制御する針有り案内体５７とを備える（図４参照）。ここで、支持板５１は、フレームの一例であり、案内溝５２は、ガイド溝の一例である。
【００６０】
支持板５１は、板状部材であり、上下方向上側を向く上面５１１と、上下方向下側を向く下面５１３（図６参照）と、を有する。支持板５１は、集積板４１に対する搬送方向進入側に位置し、集積板４１に沿って設けられる。すなわち、支持板５１は、集積板４１と同様に、水平方向に対して傾斜して設けられる。図示の例においては、支持板５１の上面５１１が、水平方向に対して３０度傾いて設けられる。また、支持板５１が傾斜して設けられていることにともない、支持板５１が支持する針無し綴じ部７０および針有り綴じ部９０も傾斜している。すなわち、針無し綴じ部７０および針有り綴じ部９０は、集積板４１（支持板５１）にあわせて傾斜している。なお、支持板５１は、正面視にて略長方形状であり、板面（上面５１１、下面５１３）の長手方向が幅方向に沿うように配置されている。
【００６１】
案内溝５２は、支持板５１の上面５１１に設けられた長孔（凹部）である。図示の例の案内溝５２は、支持板５１の厚さ方向に貫通した貫通孔として形成される。この案内溝５２は、幅方向に延びる共通溝５２１と、共通溝５２１の幅方向後側に位置する分岐点５２３と、分岐点５２３を介して共通溝５２１と連続するように分かれる針無し溝５２５および針有り溝５２７とを有する。なお、共通溝５２１、針無し溝５２５、および針有り溝５２７は共通する溝幅Ｗ１（図４参照）で形成されている。ここで、共通溝５２１と針無し溝５２５は主案内路の一例であり、針有り溝５２７は分岐部の一例である。
【００６２】
図２に示されるように、針無し綴じ部７０は、分岐点５２３を介して共通溝５２１および針無し溝５２５との間を移動可能である（図中矢印Ｄ１参照）。また、針有り綴じ部９０は、分岐点５２３を介して共通溝５２１および針有り溝５２７との間で移動可能である（図中矢印Ｄ２参照）。このような移動経路の切り替えにより、針無し綴じ部７０および針有り綴じ部９０を予め定めた退避位置に誘導することが可能である。さらに説明をすると、針無し綴じ部７０が綴じ処理を施す際に、針有り綴じ部９０は針有り溝５２７に退避する。また、針有り綴じ部９０が綴じ処理を施す際に、針無し綴じ部７０は針無し溝５２５に退避する。このことにより、針無し綴じ部７０および針有り綴じ部９０のうちの一方の綴じ処理動作が、他方によって妨げられることが抑制される。
【００６３】
共通溝５２１は、上記のように幅方向に延びるとともに、幅方向前側が搬送方向退避側に向けて湾曲する。共通溝５２１は、幅方向に沿って設けられる幅方向直線部５２１Ａと、幅方向直線部５２１Ａの幅方向前側から搬送方向退避側に延びる前側湾曲部５２１Ｂと、を有する。なお、針無し綴じ部７０および針有り綴じ部９０はともに共通溝５２１を通過する。
【００６４】
針無し溝５２５は、幅方向に沿って略直線状に延びる。針無し溝５２５は、分岐点５２３を介して共通溝５２１の幅方向直線部５２１Ａと連続するとともに、共通溝５２１の幅方向直線部５２１Ａと一致する方向（幅方向）に設けられる。なお、針無し綴じ部７０は針無し溝５２５を通過するのに対して、針有り綴じ部９０は針無し溝５２５を通過しない。図示の例においては、針無し綴じ部７０は、針無し溝５２５に移動した位置がホームポジションとされており、針有り綴じ部９０は、前側湾曲部５２１Ｂに移動した位置がホームポジションとされている。
【００６５】
針有り溝５２７は、分岐点５２３を介して共通溝５２１と連続するとともに、分岐点５２３から湾曲し搬送方向退避側に延びる。針有り溝５２７は、共通溝５２１における幅方向直線部５２１Ａの幅方向後側から搬送方向退避側に延びる後側湾曲部５２７Ａと、後側湾曲部５２７Ａから搬送方向に沿って延びる搬送方向直線部５２７Ｂと、を有する。後側湾曲部５２７Ａは、共通溝５２１の幅方向直線部５２１Ａから交差する方向（すなわち、幅方向直線部５２１Ａに対して交差する方向）に湾曲している。ここで、後側湾曲部５２７Ａは、コーナ部の一例である。搬送方向直線部５２７Ｂは、分岐点５２３からみて上下方向上側に向けて延びる部分である。言い換えると、支持板５１の上面５１１は、共通溝５２１及び針無し溝５２５に対して針有り溝５２７が上下方向上側となるように傾斜している。なお、針有り綴じ部９０は針有り溝５２７を通過するのに対して、針無し綴じ部７０は針有り溝５２７を通過しない。また、針有り溝５２７の後側湾曲部５２７Ａは、共通溝５２１の前側湾曲部５２１Ｂよりも曲率が大きい（曲率半径が小さい）。
【００６６】
図４に示されるように、針無しラック５３は、共通溝５２１および針無し溝５２５に沿って設けられる。針無しラック５３は、長手方向が幅方向に沿って延びる略直線状の針無しラック直線部５３Ａと、針無しラック直線部５３Ａの幅方向前側端部から前側湾曲部５２１Ｂに沿って湾曲して延びる針無しラック湾曲部５３Ｂと、を有する。この針無しラック５３は、共通溝５２１および針無し溝５２５よりも搬送方向進入側に設けられる。図示の例においては、針無しラック５３は、支持板５１の下面５１３（図６参照）側、すなわち支持板５１の裏面側に設けられる。また。針無しラック５３の歯面は、針無しラック５３における搬送方向退避側（上下方向上側）を向く面に設けられている。
【００６７】
針有りラック５４は、共通溝５２１および針有り溝５２７に沿って設けられる。針有りラック５４は、長手方向が幅方向に沿って延びる略直線状の針有りラック直線部５４Ａと、針有りラック直線部５４Ａの幅方向前側端部から前側湾曲部５２１Ｂに沿って湾曲して延びる針有りラック前側湾曲部５４Ｂと、針有りラック直線部５４Ａの幅方向後側端部から後側湾曲部５２７Ａに沿って湾曲して延びる針有りラック後側湾曲部５４Ｃと、を有する。また、針有りラック５４は、共通溝５２１よりも搬送方向退避側に設けられる。また、針有りラック５４は、針有り溝５２７よりも幅方向前側に設けられる。また、図示の例においては、針有りラック５４は、支持板５１の下面５１３（図６参照）側、すなわち支持板５１の裏面側に設けられる。また、針有りラック５４の歯面は、針有りラック５４における搬送方向退避側（上下方向上側）を向く面に設けられている。
【００６８】
案内溝５２、針無しラック５３、および針有りラック５４は、支持板５１における幅方向前側まで延びる。このことにより、案内溝５２に沿って移動する針無し綴じ部７０および針有り綴じ部９０は、画像形成装置１（図１参照）の前側に位置するユーザに接近することが可能である。言い替えると、針無し綴じ部７０および針有り綴じ部９０に対して、画像形成装置１（図１）の前側からユーザが作業を行う（アクセスする）ことができる。したがって、例えばステープル針の補充など、針有り綴じ部９０に対するユーザの作業が容易となる。同様に、針無し綴じ部７０の保守点検など針無し綴じ部７０に対するユーザの作業も容易となる。
【００６９】
また、針無しラック５３および針有りラック５４は、共通溝５２１、針無し溝５２５、針有り溝５２７の外側に設けられる。そして、針無しラック５３および針有りラック５４は、共通溝５２１を挟んで対向する位置に設けられている。すなわち、針無しラック５３および針有りラック５４は、共通溝５２１、針無し溝５２５、針有り溝５２７を間に挟んで設けられている。
【００７０】
また、上記のように針無しラック５３の歯面は、上下方向上側に向けて設けられている。この上側を向く歯面で、針無し綴じ部７０の針無しピニオンギア７７と噛み合う。すなわち、針無し綴じ部７０の荷重の一部を針無しラック５３の歯面が支持する配置である。このことにより、針無しラック５３と針無しピニオンギア７７とが離間することが抑制される。
【００７１】
同様に、上記のように針有りラック５４は、上側を向く歯面で針有り綴じ部９０の針有りピニオンギア９７と噛み合う。このように、針有り綴じ部９０の荷重の一部を針有りラック５４の歯面が支持する配置とすることで、針有りラック５４と針有りピニオンギア９７とが離間することが抑制される。
【００７２】
＜針有り綴じ部９０＞
図５〜図７に示されるように、針有り綴じ部９０は、用紙Ｐ（図１参照）にステープル（針）を貫通させる針有り綴じ片９１（図６及び図７参照）と、案内溝５２内部に移動可能に設けられる針有り移動ローラ９３と、を有する。また、針有り綴じ部９０は、駆動源である針有りモータ９５と、針有りモータ９５からの駆動を受けて回転するタイミングベルト９６（図６参照）と、タイミングベルト９６を介して針有りモータ９５からの駆動を受けて回転する針有りピニオンギア９７と、を有する。さらに、針有り綴じ部９０は、針有り案内体５７に案内される針有り案内ピン９８と、支持板５１の上面５１１を回転しながら移動する針有りホイール９９と、を有する。なお、針有り綴じ部９０は、上記のように針有りモータ９５を有することから、針有り綴じ部９０が走査するための駆動源と一体化されている構成として捉えることができる。ここで、針有り移動ローラ９３は、挿入部の一例である。
【００７３】
図６に示されるように、針有り綴じ部９０は、支持板５１の上面５１１に位置する上側ユニット９０１と、支持板５１の下面５１３に位置する下側ユニット９０３と、を有する。上側ユニット９０１は、針有り綴じ片９１と、針有りホイール９９と、を有する。また、下側ユニット９０３は、針有りモータ９５と、タイミングベルト９６と、針有りピニオンギア９７と、を有する。そして、支持板５１（案内溝５２）を貫通して設けられる針有り移動ローラ９３が、上側ユニット９０１および下側ユニット９０３を連結する。さらに説明をすると、針有り綴じ部９０は、針有り移動ローラ９３を中心として回転可能である。言い替えると、上側ユニット９０１および下側ユニット９０３は、針有り移動ローラ９３と一体で回転する。
【００７４】
針有り移動口−ラ９３は、案内溝５２を貫通して設けられる針有り移動ピン９３０と、針有り移動ピン９３０の外周に設けられる針有りローラ体９３１と、針有りローラ体９３１の外周に設けられる鍔状部材である針有りフランジ９３３と、を有する。針有り移動ローラ９３における針有り移動ピン９３０の外径Ｄ１０は、案内溝５２の溝幅ＷＩよりも小さい（外径Ｄ１０＜溝幅ＷＩ）。また、針有り移動ローラ９３における針有り移動ピン９３０の外径Ｄ１０は、案内溝５２の溝幅ＷＩよりも小さい（外径Ｄ１０＜溝幅ＷＩ）。また。針有り移動ローラ９３における針有りフランジ９３３の外径Ｄ１１は、案内溝５２の溝幅ＷＩよりも大きい（溝幅ＷＩ＜外径Ｄ１１）。この針有りフランジ９３３は、支持板５１の下面５１３側に設けられている。そして、針有りフランジ９３３は、支持板５１に対して針有り移動ローラ９３が傾くこと、言い換えると支持板５１に対して針有り綴じ部９０が傾くことを抑制する。このことにより、例えば針有り綴じ部９０が傾＜ことにより、針有り綴じ部９０を移動させるための駆動力が増加することが抑制される。
【００７５】
針有り案内ピン９８は、上側ユニット９０１における上面５１１と対向する部分に設けられる枠休９０２から、上面５１１に向けて突出する突起形状として設けられている。この針有り案内ピン９８は、第１針有りピン９８１および第２針有りピン９８３を有する。第１針有りピン９８１および第２針有りピン９８３は、各々略円柱状である。また、第１針有りピン９８１は、第２針有りピン９８３よりも軸方向の長さが長く、上面５１１に向けてより突出している。言い替えると、第１針有りピン９８１の先端９８１Ａと上面５１１との距離は、第２針有りピン９８３の先端９８３Ａと上面５１１との距離よりも小さい。
【００７６】
図７に示されるように、第１針有りピン９８１および第２針有りピン９８３は、針有り綴じ部９０（上側ユニット９０１）における互いの位置が異なる。具体的には、共通溝５２１に配置した針有り綴じ部９０において、第１針有りピン９８１および第２針有りピン９８３の幅方向の位置が異なる（図中距離ＧＩ参照）。第１針有りピン９８１は幅方向後側に設けられ、第２針有りピン９８３は幅方向前側に設けられる。また、共通溝５２１に配置した針有り綴じ部９０において、第１針有りピン９８１および第２針有りピン９８３の搬送方向の位置が異なる（図中距離Ｇ２参照）。第１針有りピン９８１は搬送方向退避側に設けられ、第２針有りピン９８３は搬送向進入側に設けられる。図示を省略するが、針有り綴じ部９０が後側湾曲部５２７Ａを移動するときに、第１針有りピン９８１、第２針有りピン９８３は、後側湾曲部５２７Ａの半径方向内側に設けられた針有り案内体５７の第１側面部５７１、第２側面部５７３（図４参照）にそれぞれ誘導され、第１側面部５７１、第２側面部５７３に沿って進む。これにより、針有り綴じ部９０が共通溝５２１から後側湾曲部５２７Ａの方向へ移動し、針有り綴じ部９０による分岐点５２３の通過が円滑となる。
【００７７】
図７に示されるように、針有りホイール９９は、各々回転可能に設けられた略円柱状（円盤状）の部材である第１針有りホイール９９１、第２針有りホイール９９２、第３針有りホイール９９３、および第４針有りホイール９９４を有する。ここで、第１針有りホイール９９１、第２針有りホイール９９２、第３針有りホイール９９３、および第４針有りホイール９９４は、転動体の一例である。共通溝５２１に配置した針有り綴じ部９０において、第１針有りホイール９９１、第２針有りホイール９９２、第３針有りホイール９９３、および第４針有りホイール９９４は、各々の回転軸が搬送方向に沿う向きに配置されている。また、第１針有りホイール９９１および第２針有りホイール９９２は共通溝５２１よりも搬送方向進入側に設けられ、第３針有りホイール９９３および第４針有りホイール９９４は共通溝５２１よりも搬送方向退避側に設けられる。さらに説明をすると、第１針有りホイール９９１は共通溝５２１を挟んで第３針有りホイール９９３と対向して設けられ、第２針有りホイール９９２は共通溝５２１を挟んで第４針有りホイール９９４と対向して設けられる。
【００７８】
第１針有りホイール９９１および第２針有りホイール９９２は、互いに一致する寸法で形成されている。また。第３針有りホイール９９３および第４針有りホイール９９４は、互いに一致する寸法である。
【００７９】
一例として、第１針有りホイール９９１の外径Ｄ２１は、第３針有りホイール９９３の外径Ｄ２３よりも大きい（外径Ｄ２１＞外径Ｄ２３）。また、一例として、第１針有りホイール９９１の軸に沿う方向の長さＬ２１は、第３針有りホイール９９３の軸に沿う方向の長さＬ２３よりも長い（長さＬ２１＞長さＬ２３）。針有り綴じ部９０が共通溝５２１から針有り溝５２７に移動し、又は針有り溝５２７から共通溝５２１に移動するとき、後側湾曲部５２７Ａの半径方向外側の第１針有りホイール９９１および第２針有りホイール９９２が針無し溝５２５を跨ぐ（すなわち、横切る）構成とされている。なお、第１針有りホイール９９１、第２針有りホイール９９２、第３針有りホイール９９３、および第４針有りホイール９９４の寸法は、上記の例に限定されるものではなく、変更が可能である。なお、針有り綴じ部９０の動作については後に説明する。
【００８０】
＜針無し綴じ部７０＞
図４に示されるように、針無し綴じ部７０は、用紙Ｐを構成する繊維同士を絡ませ綴じ処理を行う針無し綴じ片７１と、案内溝５２内部に移動可能に設けられる針無し移動ローラ７３と、を有する。また、針無し綴じ部７０は、駆動源である針無しモータ７５と、針無しモータ７５からの駆動を受けて回転するタイミングベルト７６と、タイミングベルト７６を介して針無しモータ７５からの駆動を受けて回転する針無しピニオンギア７７と、を有する。さらに、針無し綴じ部７０は、針無し案内体５５に案内される針無し案内ピン７８と、支持板５１の上面５１１を回転しながら移動する針無しホイール７９（図７参照）と、を有する。なお、針無し綴じ部７０は、上記のように針無しモータ７５を有することから、針無し綴じ部７０が移動（走査）するための駆動源と一体化されている構成として捉えることかできる。
【００８１】
針無し案内ピン７８は、針無し綴じ部７０の上側ユニットから支持板５１の側に突出している。針無し綴じ部７０が共通溝５２１から針無し溝５２５に移動するときに、針無し案内ピン７８が針無し案内体５５の平面状の側面５５１に接触しながら移動する。
【００８２】
図７に示されるように、針無しホイール７９は、各々回転可能に設けられた略円盤状の部材であり、第１針無しホイール７９１、第２針無しホイール７９２、第３針無しホイール７９３、および第４針無しホイール７９４を有する。共通溝５２１又は針無し溝５２５に配置した針無し綴じ部７０において、第１針無しホイール７９１、第２針無しホイール７９２、第３針無しホイール７９３、および第４針無しホイール７９４は、回転軸が搬送方向に沿う向きに配置されている。また、第１針無しホイール７９１および第２針無しホイール７９２は共通溝５２１よりも搬送方向進入側に設けられ、第３針無しホイール７９３および第４針無しホイール７９４は共通溝５２１よりも搬送方向退避側に設けられる。第１針無しホイール７９１は共通溝５２１を挟んで第３針無しホイール７９３と対向して設けられ、第２針無しホイール７９２は共通溝５２１を挟んで第４針無しホイール７９４と対向して設けられる。また、第１針無しホイール７９１、第２針無しホイール７９２、第３針無しホイール７９３、および第４針無しホイール７９４は、互いに一致する寸法で形成されている。
【００８３】
＜針無し綴じ部７０の動作＞
図７に示されるように、針無し綴じ部７０の針無し移動ローラ７３が案内溝５２内に配置され、針無しピニオンギア７７は針無しラック５３と噛み合う。そして、針無しモータ７５の駆動力を受けることで、針無しピニオンギア７７が回転し、針無しラック５３に沿って針無し綴じ部７０が移動する。このとき、針無し移動ローラ７３が案内溝５２によって案内されることで、針無し綴じ部７０の移動方向が定まる。なお、針無し移動ローラ７３が案内溝５２内に配置されていることにより、針無しピニオンギア７７および針無しラック５３の距離が安定する（維持される）。その結果、例えば針無しピニオンギア７７が針無しラック５３から離間することや、針無しピニオンギア７７および針無しラック５３における歯飛びなどの損傷が抑制される。
【００８４】
また、針無し綴じ部７０では、針無し案内ピン７８が針無し案内体５５を通過するときに、針無し案内ピン７８は、針無し案内体５５の側面５５１に誘導され、側面５５１に沿って進む。これにより、針無し綴じ部７０が針有り溝５２７に向けて移動（回転）することが抑制され、針無|綴じ部７０による分岐点５２３の通過が円滑になる。
【００８５】
＜移動部材支持構造１０８＞
図８及び図９に示されるように、用紙綴じ処理装置３０には、本実施形態の主要部である移動部材支持構造１０８が設けられている。移動部材支持構造１０８は、支持板５１と、支持板５１に設けられた案内溝５２と、針無し綴じ部７０と、針有り綴じ部９０と、を含んで構成されている（図７参照）。
【００８６】
ここで、支持板５１についてより詳細に説明する。支持板５１は、上方（矢印ＩＩの方向）から見て略長方形状の上面部５１Ａと、上面部５１Ａの搬送方向進入側（図７及び図８参照）の周縁部から上下方向下側へ折り曲げられた側壁部５１Ｂと、上面部５１Ａの搬送方向退避側（図７及び図８参照）の周縁部から上下方向下側へ折り曲げられた側壁部５１Ｃと、を有する。また、支持板５１は、上面部５１Ａの長手方向の一端側の周縁部から上下方向下側へ屈曲された屈曲部５１Ｄと、上面部５１Ａの長手方向の他端側の周縁部から上下方向下側へ折り曲げられた側壁部５１Ｅと、を有する。上面部５１Ａは、正面視にて搬送方向直線部５２７Ｂの方向に凸状に延設された部分を有し、この延設された部分の周縁部にも、上下方向下側へ折り曲げられた側壁部５１Ｆが設けられている。上面部５１Ａには、前述の上面５１１がある。
【００８７】
上面部５１Ａには、上記のように案内溝５２が設けられている。上面部５１Ａにおける搬送方向直線部５２７Ｂの縁部には、上下方向下側に屈曲された屈曲部５１Ｇが設けられている（図８参照）。本実施形態では、上面部５１Ａにおける搬送方向直線部５２７Ｂの長手方向の先端部側の縁部に屈曲部５１Ｇが設けられているが、上面部５１Ａにおける搬送方向直線部５２７Ｂの縁部の全体に屈曲部を設けてもよい。上面部５１Ａにおける搬送方向直線部５２７Ｂの縁部に屈曲部５１Ｇを設けることで、上面部５１Ａにおける搬送方向直線部５２７Ｂの縁部が補強されている。
【００８８】
図８〜図１０に示されるように、移動部材支持構造１０８には、第３針有りホイール９９３、第４針有りホイール９９４、第３針無しホイール７９３および第４針無しホイール７９４を支持板５１側に押さえる、すなわち、支持板５１から離間する方向へ移動するのを押さえる押さえ部材１１０が設けられている。押さえ部材１１０は、支持板５１の上面部５１Ａに取り付けられている。さらに説明をすると、押さえ部材１１０は、共通溝５２１に対して搬送方向退避側（図８参照）の共通溝５２１と針有り溝５２７との間の上面部５１Ａに設けられている。押さえ部材１１０は、共通溝５２１に沿って延在された細長い形状とされている。より具体的には、押さえ部材１１０は、上面部５１Ａに接合される平面状の取付部１１２と、取付部１１２の長手方向に沿って設けられると共に共通溝５２１と搬送方向退避側（図８参照）に間隔をおいて配置された第１押え部１１４と、を有する。さらに、押さえ部材１１０は、取付部１１２の長手方向一端部に針有り溝５２７と幅方向前側（図８参照）に間隔をおいて配置された第２押え部１１６と、取付部１１２の長手方向他端部に前側湾曲部５２１Ｂと幅方向後側（図８参照）に間隔をおいて配置された第３押え部１１８と、を有する。ここで、第２押え部１１６は、押え部の一例である。
【００８９】
第１押え部１１４は、取付部１１２から立ち上がる縦壁１１４Ａと、縦壁１１４Ａの上端部から上面部５１Ａに沿った方向に屈曲された押え壁１１４Ｂと、を備えている。第１押え部１１４は、押え壁１１４Ｂと上面部５１Ａとの間を、第３針有りホイール９９３、第４針有りホイール９９４、第３針無しホイール７９３、および第４針無しホイール７９４が走行可能な位置及び寸法に設定されている。
【００９０】
第１押え部１１４は、押え壁１１４Ｂによって、針有り綴じ部９０の第３針有りホイール９９３および第４針有りホイール９９４と、針無し綴じ部７０の第３針無しホイール７９３および第４針無しホイール７９４を支持板５１側に押さえる構成とされている。本実施形態では、第３針有りホイール９９３、第４針有りホイール９９４と押え壁１１４Ｂの間には隙間が形成されており、針有り綴じ部９０が傾いたときに、押え壁１１４Ｂに第３針有りホイール９９３、第４針有りホイール９９４が接触して押えられる構成とされている。同様に、第３針無しホイール７９３、第４針無しホイール７９４と押え壁１１４Ｂの間には隙間が形成されており、針無し綴じ部７０が傾いたときに、押え壁１１４Ｂに第３針無しホイール７９３、第４針無しホイール７９４が接触して押えられる構成とされている。言い換えると、押え壁１１４Ｂによって、針有り綴じ部９０の第３針有りホイール９９３および第４針有りホイール９９４と、針無し綴じ部７０の第３針無しホイール７９３および第４針無しホイール７９４の支持板５１からの浮き上がりが抑制されるようになっている。
【００９１】
押え壁１１４Ｂの長手方向の両端部には、長手方向の端部側に向かうにしたがって上面部５１Ａから離れる方向に傾斜した傾斜部１１４Ｃ、１１４Ｄが設けられている。傾斜部１１４Ｃ、１１４Ｄにより、第３針有りホイール９９３、第４針有りホイール９９４、第３針無しホイール７９３、および第４針無しホイール７９４が押え壁１１４Ｂと上面部５１Ａとの間に入り込みやすくなる。
【００９２】
第２押え部１１６は、取付部１１２から立ち上がる縦壁１１６Ａと、縦壁１１６Ａの上端部から上面部５１Ａに沿った方向に屈曲された押え壁１１６Ｂと、を備えている。押え壁１１６Ｂは、平面状とされており、横壁の一例である。第２押え部１１６は、押え壁１１６Ｂと上面部５１Ａとの間を、第３針有りホイール９９３および第４針有りホイール９９４が走行可能な位置及び寸法に設定されている。第２押え部１１６は、押え壁１１６Ｂによって、針有り綴じ部９０の第３針有りホイール９９３および第４針有りホイール９９４を支持板５１側に押さえる、すなわち支持板５１から離間する方向へ移動するのを押さえる構成とされている。本実施形態では、第３針有りホイール９９３、第４針有りホイール９９４と押え壁１１６Ｂの間には隙間が形成されており、針有り綴じ部９０が傾いたときに、押え壁１１６Ｂに第３針有りホイール９９３、第４針有りホイール９９４が接触して押えられる構成とされている。同様に、第３針無しホイール７９３、第４針無しホイール７９４と押え壁１１６Ｂの間には隙間が形成されており、針無し綴じ部７０が傾いたときに、押え壁１１６Ｂに第３針無しホイール７９３、第４針無しホイール７９４が接触して押えられる構成とされている。言い換えると、押え壁１１６Ｂによって、針有り綴じ部９０の第３針有りホイール９９３および第４針有りホイール９９４の支持板５１からの浮き上がりが抑制されるようになっている。
【００９３】
図１１〜図１３に示されるように、針有り綴じ部９０は、針有り移動ローラ９３が案内溝５２の内部に挿入された状態で、上面部５１Ａの上を案内溝５２に沿って移動する。針有り綴じ部９０が後側湾曲部５２７Ａに沿って移動するとき、すなわち、針有り移動ローラ９３が後側湾曲部５２７Ａ内を移動するときに、後側湾曲部５２７Ａの半径方向外側を２つの第１針有りホイール９９１および第２針有りホイール９９２が走行し、後側湾曲部５２７Ａの半径方向内側を２つの第３針有りホイール９９３および第４針有りホイール９９４が走行する。針有り綴じ部９０が後側湾曲部５２７Ａを移動するときに、半径方向外側の２つの第１針有りホイール９９１および第２針有りホイール９９２が針無し溝５２５を跨ぐ。このとき、押え壁１１６Ｂによって、半径方向内側の第３針有りホイール９９３および第４針有りホイール９９４が支持板５１から離間する方向へ移動するのを押さえる構成とされている。本実施形態では、針有り綴じ部９０が後側湾曲部５２７Ａを移動するときに、１つの押え壁１１６Ｂによって、半径方向内側の第３針有りホイール９９３および第４針有りホイール９９４のうちの後側湾曲部５２７Ａ側（本実施形態では、搬送方向直線部５２７Ｂ側）の第３針有りホイール９９３が支持板５１から離間する方向へ移動するのを押さえる構成とされている。言い換えると、１つの押え壁１１６Ｂによって、半径方向内側の第３針有りホイール９９３および第４針有りホイール９９４のうちの共通溝５２１から遠い側の第３針有りホイール９９３が支持板５１から離間する方向へ移動するのを押さえる。
【００９４】
図８〜図１０に示されるように、第３押え部１１８は、取付部１１２から立ち上がる縦壁１１８Ａと、縦壁１１８Ａの上端部から上面部５１Ａに沿った方向に屈曲された押え壁１１８Ｂと、を備えている。第３押え部１１８は、押え壁１１６Ｂと上面部５１Ａとの間を、第３針有りホイール９９３、第４針有りホイール９９４、第３針無しホイール７９３、および第４針無しホイール７９４が走行可能な位置及び寸法に設定されている。第３押え部１１８は、押え壁１１８Ｂによって、針有り綴じ部９０の第３針有りホイール９９３および第４針有りホイール９９４と、針無し綴じ部７０の第３針無しホイール７９３および第４針無しホイール７９４を支持板５１側に押さえる構成とされている。言い換えると、押え壁１１８Ｂによって、針有り綴じ部９０の第３針有りホイール９９３および第４針有りホイール９９４と、針無し綴じ部７０の第３針無しホイール７９３および第４針無しホイール７９４の支持板５１からの浮き上がりを抑制するようになっている。
【００９５】
＜作用及び効果＞
次に、本実施形態の作用及び効果について説明する。
【００９６】
まず、針有り綴じ部９０の動作について説明する。図７に示されるように、針有り綴じ部９０の針有り移動ローラ９３が案内溝５２内に配置され、針有りピニオンギア９７は、針有りラック５４と噛み合う。そして、針有りモータ９５の駆動力を受けることで、針有りピニオンギア９７が回転し、針有りラック５４に沿って針有り綴じ部９０が移動する。このとき、針有り移動ローラ９３が案内溝５２によって案内されることで、針有り綴じ部９０の移動方向が定まる。また、案内溝５２の進入側に配置された第１針有りホイール９９１および第２針有りホイール９９２と、案内溝５２の搬送方向退避側に配置された第３針有りホイール９９３および第４針有りホイール９９４とが支持板５１の上面部５１Ａ上を回転（転動）することで、針有り綴じ部９０が案内溝５２に沿って支持板５１の上面部５１Ａ上を安定して移動する。
【００９７】
図１１に示されるように、針有り綴じ部９０の針有り移動ローラ９３が共通溝５２１から針有り溝５２７に移動する途中、又は、針有り綴じ部９０の針有り移動ローラ９３が針有り溝５２７から共通溝５２１に移動する途中では、針有り綴じ部９０の針有り移動ローラ９３が後側湾曲部５２７Ａ内を移動する。図１１では、針有り綴じ部９０の針有り移動ローラ９３が針有り溝５２７から共通溝５２１の方向（矢印Ｌ方向）に移動する途中における第１針有りホイール９９１、第２針有りホイール９９２、第３針有りホイール９９３、および第４針有りホイール９９４の移動軌跡が模式的に示されている。なお、図１１では、移動軌跡を分かりやすくするため、針有り綴じ部９０の図示を省略している。なお、後述する図１２、図１３も同様に、針有り綴じ部９０の図示を省略している。
【００９８】
針有り綴じ部９０の針有り移動ローラ９３が後側湾曲部５２７Ａを移動するときは、半径方向外側の２つの第１針有りホイール９９１、第２針有りホイール９９２が針無し溝５２５を跨ぐ（横切る）。本実施形態では、後側湾曲部５２７Ａの半径方向外側の２つの第１針有りホイール９９１、第２針有りホイール９９２が針無し溝５２５を跨ぐときに、上方（図１中の矢印ＩＩ方向）から見て第１針有りホイール９９１、第２針有りホイール９９２の軸方向の両側が針無し溝５２５の中にある。
【００９９】
ここで、図１７を用いて、比較例の用紙綴じ処理装置４１０について説明する。図１７に示されるように、比較例の用紙綴じ処理装置４１０では、針有り綴じ部９０における後側湾曲部５２７Ａ（図示省略）の半径方向外側の第１針有りホイール９９１が針無し溝５２５を跨ぐときに、支持板４１２の上面部４１２Ａには、半径方向内側の第３針有りホイール９９３、第４針有りホイール９９４を押さえる部材が設けられていない。用紙綴じ処理装置４１０の他の構成は、用紙綴じ処理装置３０の構成と同じである。
【０１００】
用紙綴じ処理装置４１０では、第１針有りホイール９９１、第２針有りホイール９９２が針無し溝５２５を跨ぐときに、上方から見て第１針有りホイール９９１、第２針有りホイール９９２の軸方向の両側が針無し溝５２５の中にある。このため、第１針有りホイール９９１が針無し溝５２５を跨ぐときに、第１針有りホイール９９１が針無し溝５２５に落ち込み、半径方向内側の第３針有りホイール９９３又は第４針有りホイール９９４が支持板４１２の上面部４１２Ａから浮き上がる。図示を省略するが、比較例の用紙綴じ処理装置４１０では、針有り綴じ部９０における後側湾曲部５２７Ａ（図示省略）の半径方向外側の第２針有りホイール９９２が針無し溝５２５を跨ぐときも、半径方向内側の第３針有りホイール９９３又は第４針有りホイール９９４が支持板４１２の上面部４１２Ａから浮き上がる。
【０１０１】
このため、比較例の用紙綴じ処理装置４１０では、針有り綴じ部９０における後側湾曲部５２７Ａ（図示省略）の半径方向外側の第１針有りホイール９９１、第２針有りホイール９９２が針無し溝５２５に落ち込み、針無し溝５２５に引っ掛かることで、耳障りな跨ぎ音（衝撃音）が発生する場合がある。また、針有り綴じ部９０が針有り溝と共通溝とを移動するときは、針有り綴じ部９０の重さで支持板４１２の上面部４１２Ａが撓みやすい。このため、針有り綴じ部９０は、針有り溝と共通溝との乗り継ぎの前後で上面部４１２Ａの高さに差が出ることで、大きな衝撃を受ける場合がある。
【０１０２】
例えば、針無し溝の幅に対して、第１針有りホイールと第２針有りホイールの幅を十分に大きくすれば、第１針有りホイールと第２針有りホイールの針無し溝への落ち込みや引っ掛かりを抑制できるが、装置全体のレイアウトをコンパクトにするためには、好ましくない。
【０１０３】
これに対して、図１１に示されるように、本実施形態の用紙綴じ処理装置３０では、針有り綴じ部９０の針有り移動ローラ９３が後側湾曲部５２７Ａを移動し、後側湾曲部５２７Ａの半径方向外側の２つの第１針有りホイール９９１、第２針有りホイール９９２が針無し溝５２５を跨ぐとき、押え壁１１６Ｂによって、後側湾曲部５２７Ａの半径方向内側の第３針有りホイール９９３が支持板５１から離間する方向へ移動するのが押えられる。
【０１０４】
より詳細には、図１２に示されるように、針有り綴じ部９０の移動方向（矢印Ｌ方向）における前輪であって、後側湾曲部５２７Ａの半径方向外側の第２針有りホイール９９２が針無し溝５２５を跨ぐときに、押え壁１１６Ｂによって、半径方向内側の後輪である第３針有りホイール９９３が支持板５１から離間する方向へ移動するのが押えられる。このため、図１４に示されるように、押え壁１１６Ｂによって、半径方向内側の第３針有りホイール９９３の支持板５１からの浮き上がりが抑制され（制限され）、半径方向外側の第２針有りホイール９９２が針無し溝５２５に落ち込むことが抑制される。ここで、「第２針有りホイール９９２が針無し溝５２５を跨ぐとき」とは、第２針有りホイール９９２が針無し溝５２５に差し掛かって針無し溝５２５から抜けるまでをいう。
【０１０５】
また、図１３に示されるように、針有り綴じ部９０の移動方向（矢印Ｌ方向）における後輪であって、後側湾曲部５２７Ａの半径方向外側の第１針有りホイール９９１が針無し溝５２５を跨ぐときに、押え壁１１６Ｂによって、半径方向内側の後輪である第３針有りホイール９９３が支持板５１から離間する方向へ移動するのが押えられる。このため、図１４に示されるように、押え壁１１６Ｂによって、半径方向内側の第３針有りホイール９９３の支持板５１からの浮き上がりが抑制され、半径方向外側の第１針有りホイール９９１が針無し溝５２５に落ち込むことが抑制される。ここで、「第１針有りホイール９９１が針無し溝５２５を跨ぐとき」とは、第１針有りホイール９９１が針無し溝５２５に差し掛かって針無し溝５２５から抜けるまでをいう。
【０１０６】
針有り綴じ部９０の移動方向が矢印Ｌと逆方向の場合も同様に、押え壁１１６Ｂによって、半径方向内側の第３針有りホイール９９３の支持板５１からの浮き上がりが抑制され、半径方向外側の第１針有りホイール９９１、第２針有りホイール９９２が針無し溝５２５に落ち込むことが抑制される。
【０１０７】
上記の移動部材支持構造１０８を備えた用紙綴じ処理装置３０では、後側湾曲部の半径方向内側の転動体が支持板の上面だけに接触する構成と比較して、後側湾曲部５２７Ａの半径方向外側の第１針有りホイール９９１、第２針有りホイール９９２が針無し溝５２５を跨ぐときの跨ぎ音の発生が抑制される。
【０１０８】
また、用紙綴じ処理装置３０では、支持板５１の上面部５１Ａは、共通溝５２１に対して針有り溝５２７が上側となるように傾斜している。一般的に、上記のように支持板の上面部が傾斜している構成では、後側湾曲部の半径方向外側、すなわち、傾斜方向の下側の第１針有りホイール、第２針有りホイールが、重力により針無し溝に落ち込みやすくなる。これに対して、本実施形態では、押え壁１１６Ｂによって、半径方向内側の第３針有りホイール９９３の支持板５１からの浮き上がりが抑制され、半径方向外側の第１針有りホイール９９１が針無し溝５２５に落ち込むことが抑制される。このため、用紙綴じ処理装置３０では、支持板が傾斜している構成において、後側湾曲部５２７Ａの半径方向外側、すなわち傾斜方向の下側の第１針有りホイール９９１、第２針有りホイール９９２が針無し溝５２５を跨ぐときの跨ぎ音の発生が抑制される。
【０１０９】
また、用紙綴じ処理装置３０では、後側湾曲部５２７Ａを移動するときには、後側湾曲部５２７Ａの半径方向外側に２つの第１針有りホイール９９１、第２針有りホイール９９２が設けられている。このため、用紙綴じ処理装置３０では、後側湾曲部を移動するときの半径方向外側の転動体が１つの場合と比較して、針有り綴じ部９０の移動が安定化する。
【０１１０】
また、用紙綴じ処理装置３０では、後側湾曲部５２７Ａの半径方向外側の２つの第１針有りホイール９９１、第２針有りホイール９９２が針無し溝５２５を跨ぐときに、後側湾曲部５２７Ａを移動する半径方向内側の第３針有りホイール９９３を１つの押え壁１１６Ｂが押さえる構成とされている。このため、用紙綴じ処理装置３０では、２つの転動体の両方が針無し溝を跨ぐときに、半径方向内側の転動体を押さえる２つの押え部を設ける構成と比較して、構成が簡単になる。
【０１１１】
また、用紙綴じ処理装置３０では、後側湾曲部５２７Ａを移動するときに半径方向内側に２つの第３針有りホイール９９３、第４針有りホイール９９４が設けられている。そして、後側湾曲部５２７Ａの半径方向外側の２つの第１針有りホイール９９１、第２針有りホイール９９２が針無し溝５２５を跨ぐときに、半径方向内側の２つの第３針有りホイール９９３及び第４針有りホイール９９４のうち、搬送方向直線部５２７Ｂの方向に配置された第３針有りホイール９９３を押え壁１１６Ｂが押さえる構成とされている。このため、用紙綴じ処理装置３０では、２つの転動体の両方が針無し溝を跨ぐときに、半径方向内側の２つの転動体をそれぞれ押さえる構成と比較して、構成が簡単になる。
【０１１２】
また、用紙綴じ処理装置３０では、第２押え部１１６の押え壁１１６Ｂは、支持板５１の上面部５１Ａに沿って平面状に形成されている。このため、用紙綴じ処理装置３０では、押え部がフレームの面に沿った横壁の縁部に折れ曲がり部を有する構成と比較して、押え壁１１６Ｂが針有り綴じ部９０と干渉しにくい。
【０１１３】
また、用紙綴じ処理装置３０では、後側湾曲部５２７Ａの半径方向外側の２つの第１針有りホイール９９１、第２針有りホイール９９２が針無し溝５２５を跨ぐときに、上方（図１中の矢印ＩＩ方向）から見て第１針有りホイール９９１、第２針有りホイール９９２の軸方向の両側が針無し溝５２５の中にある。用紙綴じ処理装置３０では、第１針有りホイール、第２針有りホイールの軸方向の両側が針無し溝の中にある場合でも、第１針有りホイール９９１、第２針有りホイール９９２が針無し溝５２５を跨ぐときの跨ぎ音の発生が抑制される。
【０１１４】
また、用紙綴じ処理装置３０では、共通溝５２１及び針無し溝５２５を往復移動する針無し綴じ部７０と、共通溝５２１と共通溝５２１の途中の針有り溝５２７とを往復移動する針有り綴じ部９０とが設けられている。このため、用紙綴じ処理装置３０では、移動部材が１つの場合に比べて、針無し綴じ部７０及び針有り綴じ部９０の一方を待機させた状態で、針無し綴じ部７０及び針有り綴じ部９０の他方を案内溝５２に沿って移動させることができる。
【０１１５】
さらに、用紙綴じ処理装置３０では、針無し綴じ部７０は、画像が形成された用紙Ｐの針無し綴じ処理を行い、針有り綴じ部９０は、画像が形成された他の用紙Ｐの針有り綴じ処理を行う。針無し綴じ部７０が針無し綴じ処理を行うときに、針有り綴じ部９０は針有り溝５２７に移動し、針有り綴じ部９０が針有り綴じ処理を行うときに、針無し綴じ部７０は針無し溝５２５に移動する。このため、用紙綴じ処理装置３０では、針無し綴じ部７０と針有り綴じ部９０とを切り替える構成において、針有り綴じ部９０における後側湾曲部５２７Ａの半径方向外側の第１針有りホイール９９１、第２針有りホイール９９２が針無し溝５２５を跨ぐときの跨ぎ音の発生が抑制される。
【０１１６】
≪第２実施形態≫
次に、図１５を用いて、第２実施形態の後処理装置の一例としての用紙綴じ処理装置について説明する。なお、前述した第１実施形態と同一構成部分については、同一番号を付してその説明を省略する。
【０１１７】
図１５に示されるように、本実施形態の用紙綴じ処理装置２１０には、フレームの一例としての支持板２１４を備えた移動部材支持構造２１２が設けられている。支持板２１４の上面部２１４Ａには、針有り溝５２７と針無し溝５２５とで囲まれた部分に、針有り溝５２７の一部に沿って補強部の一例としての絞り部２１６が設けられている。支持板２１４の上面部２１４Ａには、後側湾曲部５２７Ａの半径方向外側の第１針有りホイール９９１の移動軌跡（移動領域）２２０と、後側湾曲部５２７Ａの半径方向外側の第２針有りホイール９９２の移動軌跡（移動領域）２２２とが模式的に表示されている。絞り部２１６は、第１針有りホイール９９１の移動軌跡２２０と第２針有りホイール９９２の移動軌跡２２２とが重なる位置に設けられている。本実施形態では、絞り部２１６は、針有り溝５２７の搬送方向直線部５２７Ｂにおける後側湾曲部５２７Ａ側の部位に沿って、針有り溝５２７と間隔を空けた位置に配置されている。
【０１１８】
また、絞り部２１６は、２つの第１針有りホイール９９１、第２針有りホイール９９２の軌跡の端部（例えば、軸方向の軌跡の端部）が通らない位置に設けられている。絞り部２１６は、支持板２１４の上面部２１４Ａにおける第１針有りホイール９９１、第２針有りホイール９９２の通過する面に、第１針有りホイール９９１、第２針有りホイール９９２の幅より狭い範囲に設けられている。絞り部２１６は、上面部２１４Ａを絞り加工することで、上面部２１４Ａの上面５１１から上下方向下側に突出するような形状に形成されている。本実施形態では、絞り部２１６は、上面部２１４Ａに形成されたビードである。本実施形態では、絞り部２１６は、平面視にて略矩形状で針無し溝５２５の側が尖った形状とされているが、絞り部２１６の形状は変更可能である。
【０１１９】
上記の用紙綴じ処理装置２１０では、第１実施形態と同様の構成による効果に加えて、以下の効果を有している。用紙綴じ処理装置２１０では、支持板が補強されていない構成と比較して、針有り綴じ部９０が後側湾曲部５２７Ａを移動するときに支持板２１４の上面部２１４Ａがたわみにくい。このため、針有り綴じ部９０が針有り溝５２７と共通溝５２１とを移動するときに、針有り綴じ部９０の針有り溝５２７と共通溝５２１との乗り継ぎの前後で上面部４１２Ａの高さに差が生じにくく、針有り綴じ部９０が衝撃を受けることが抑制される。また、用紙綴じ処理装置２１０では、支持板が補強されていない構成と比較して、針有り綴じ部９０における後側湾曲部５２７Ａの半径方向外側の第１針有りホイール９９１、第２針有りホイール９９２が針無し溝５２５を跨ぐときの跨ぎ音の発生が抑制される。また、本実施形態では、支持板２１４の上面部２１４Ａのたわみを抑制するために、支持板２１４の厚みを厚くする必要がないため、軽量化が可能であり、コストアップを抑えることができる。
【０１２０】
さらに、用紙綴じ処理装置２１０では、絞り部２１６は、２つの第１針有りホイール９９１、第２針有りホイール９９２の軌跡の端部（例えば、軸方向の軌跡の端部）が通らない位置に設けられている。このため、用紙綴じ処理装置２１０では、２つの転動体の軸方向の端部が通る位置に補強部が設けられている構成と比較して、絞り部２１６が第１針有りホイール９９１、第２針有りホイール９９２の走行を妨げることが抑制される。
【０１２１】
≪第３実施形態≫
次に、図１６を用いて、第３実施形態の後処理装置の一例としての用紙綴じ処理装置について説明する。なお、前述した第１実施形態と同一構成部分については、同一番号を付してその説明を省略する。
【０１２２】
図１６に示されるように、本実施形態の用紙綴じ処理装置２３０には、フレームの一例としての支持板２３４を備えた移動部材支持構造２３２が設けられている。支持板２３４の上面部２３４Ａには、針有り溝５２７と針無し溝５２５とで囲まれた部分に、針有り溝５２７の一部に沿って補強部の一例としての絞り部２３６が設けられている。絞り部２３６は、半径方向外側の第１針有りホイール９９１の移動軌跡２２０と半径方向外側の第２針有りホイール９９２の移動軌跡２２２とが重なる位置から、針有り溝５２７の端部側（退避側）の第１針有りホイール９９１の移動軌跡２２０の位置に跨って設けられている。針有り溝５２７の端部側の第１針有りホイール９９１の移動軌跡２２０の位置では、第２針有りホイール９９２は停止しているため、第２針有りホイール９９２が絞り部２３６に引っ掛かることがない。本実施形態では、絞り部２１６は、針有り溝５２７の搬送方向直線部５２７Ｂに沿って、針有り溝５２７と定められた間隔を空けた位置に設けられている。
【０１２３】
また、絞り部２３６は、第１針有りホイール９９１および第２針有りホイール９９２の軌跡の端部（例えば、軸方向の軌跡の端部）が通らない位置に設けられている。本実施形態では、絞り部２３６は、平面視にて略矩形状の細長い形状で針無し溝５２５の側が尖った形状とされているが、絞り部２３６の形状は変更可能である。
【０１２４】
上記の用紙綴じ処理装置２３０では、第１実施形態と同様の構成による効果に加えて、以下の効果を有している。用紙綴じ処理装置２３０では、支持板が補強されていない構成と比較して、針有り綴じ部９０が後側湾曲部５２７Ａを移動するときに支持板２３４の上面部２３４Ａがたわみにくく、針有り綴じ部９０の針有り溝５２７と共通溝５２１との乗り継ぎの前後で針有り綴じ部９０が衝撃を受けることが抑制される。また、用紙綴じ処理装置２３０では、支持板が補強されていない構成と比較して、針有り綴じ部９０における後側湾曲部５２７Ａの半径方向外側の第１針有りホイール９９１、第２針有りホイール９９２が針無し溝５２５を跨ぐときの跨ぎ音の発生が抑制される。また、本実施形態では、支持板２３４の上面部２３４Ａのたわみを抑制するために、支持板２３４の厚みを厚くする必要がないため、軽量化が可能であり、コストアップを抑えることができる。
【０１２５】
また、用紙綴じ処理装置２３０では、針有り溝５２７の端部側の第１針有りホイール９９１の移動軌跡２２０のみの位置では、第２針有りホイール９９２は停止しているため、絞り部２３６に引っ掛かることがなく、第２針有りホイール９９２の走行を妨げることがない。さらに、用紙綴じ処理装置２３０では、絞り部が第１針有りホイールの移動軌跡と半径方向外側の第２針有りホイールの移動軌跡とが重なる位置に設けられている構成と比較して、絞り部２３６の長手方向の長さを長くすることができ、絞り部２３６による補強範囲を拡大することができる。
【０１２６】
≪補足説明≫
なお、第１〜第３実施形態において、針有り溝５２７と共通溝５２１の形状は変更可能である。
【０１２７】
また、第１〜第３実施形態では、後側湾曲部５２７Ａの半径方向外側の２つの第１針有りホイール９９１、第２針有りホイール９９２が針無し溝５２５を跨ぐときに、押え壁１１６Ｂが第３針有りホイール９９３を押さえたが、本発明はこの構成に限定されるものではない。例えば、後側湾曲部５２７Ａの半径方向内側の第３針有りホイール９９３、第４針有りホイール９９４を押さえる１又は２以上の押え部を設けてもよい。
【０１２８】
また、第１〜第３実施形態では、針有り綴じ部９０に第１針有りホイール９９１、第２針有りホイール９９２、第３針有りホイール９９３、および第４針有りホイール９９４が設けられていたが、本発明は、この構成に限定されるものではない。例えば、針有り綴じ部の針有りホイールの数や配置は変更が可能である。
【０１２９】
第１〜第３実施形態では、後側湾曲部５２７Ａの半径方向外側に２つの第１針有りホイール９９１、第２針有りホイール９９２が設けられていたが、本発明はこれに限定されず、例えば、後側湾曲部５２７Ａの半径方向外側に１又は２以上の針有りホイールを設けてもよい。
【０１３０】
また、第１〜第３実施形態では、後側湾曲部５２７Ａの半径方向内側に第３針有りホイール９９３、第４針有りホイール９９４が設けられていたが、本発明はこれに限定されず、例えば、後側湾曲部５２７Ａの半径方向内側に１又は２以上の針有りホイールを設けてもよい。また、この場合、後側湾曲部５２７Ａの半径方向外側のいずれかの針有りホイールが主案内路を跨ぐときに、後側湾曲部５２７Ａの半径方向内側の少なくとも１つの針有りホイールを押さえる押え部を設ける構成でもよい。また、後側湾曲部５２７Ａの半径方向外側の２以上の針有りホイールが主案内路を跨ぐときに、後側湾曲部５２７Ａの半径方向内側の２以上の針有りホイールのうち、針有り溝５２７の側に配置された針有りホイールを押え部で押さえる構成としてもよい。また、後側湾曲部５２７Ａの半径方向内側の針有りホイールの数の変更に伴い、針有りホイールを押さえる押え部の数を変更してもよい。
【０１３１】
また、第１〜第３実施形態では、針無し溝５２５を跨ぐときに、上方から見て第１針有りホイール９９１、第２針有りホイール９９２の軸方向の両側が針無し溝５２５の中にあるが、本発明はこれに限定されるものでない。例えば、針無し溝を跨ぐときに、上方から見て少なくとも１つの有りホイールの軸方向の両側が針無し溝の中にある構成でもよい。
【０１３２】
また、第１〜第３実施形態では、２つの移動部材である針無し綴じ部７０と針有り綴じ部９０が設けられていたが、本発明は、この構成に限定されるものではない。例えば、本発明は、１つの移動部材を設ける構成でもよい。また、針無し綴じ部７０と針有り綴じ部９０以外の移動部材を備えた他の後処理装置（例えば、針種の違う後処理装置、パンチ処理を行う後処理装置など）に本発明を適用してもよい。
【０１３３】
なお、本発明を特定の実施形態について詳細に説明したが、本発明はかかる実施形態に限定されるものではなく、本発明の範囲内にて他の種々の実施形態が可能であることは当業者にとって明らかである。
【符号の説明】
【０１３４】
１     画像形成装置（画像形成手段の一例）
２     後処理装置
３０   用紙綴じ処理装置（後処理装置の一例）
５１   支持板（フレームの一例）
５２   案内溝（ガイド溝の一例）
７０   針無し綴じ部（第１移動部材の一例、移動部材の一例）
９０   針有り綴じ部（第２移動部材の一例、移動部材の一例）
９３   針有り移動ローラ（挿入部の一例）
９９   針有りホイール（転動体の一例）
１００ 画像形成システム
１０８ 移動部材支持構造
１１６ 第２押え部（押え部の一例）
１１６Ａ      縦壁
１１６Ｂ      押え壁（横壁の一例）
２１０ 用紙綴じ処理装置（後処理装置の一例）
２１２ 移動部材支持構造
２１４ 支持板（フレームの一例）
２１６ 絞り部（補強部の一例）
２２０ 移動軌跡
２２２ 移動軌跡
２３０ 用紙綴じ処理装置（後処理装置の一例）
２３２ 移動部材支持構造
２３４ 支持板（フレームの一例）
２３６ 絞り部（補強部の一例）
５２１ 共通溝（主案内路の一例）
５２５ 針無し溝（主案内路の一例）
５２７ 針有り溝（分岐部の一例）
５２７Ａ      後側湾曲部（コーナ部の一例）
９９１ 第１針有りホイール（半径方向外側の転動体の一例）
９９２ 第２針有りホイール（半径方向外側の転動体の一例）
９９３ 第３針有りホイール（半径方向内側の転動体の一例）
９９４ 第４針有りホイール（半径方向内側の転動体の一例）
Ｐ     用紙（記録媒体の一例）
【図１】
2020026348.tif 000003
【図２】
2020026348.tif 000004
【図３】
2020026348.tif 000005
【図４】
2020026348.tif 000006
【図５】
2020026348.tif 000007
【図６】
2020026348.tif 000008
【図７】
2020026348.tif 000009
【図８】
2020026348.tif 000010
【図９】
2020026348.tif 000011
【図１０】
2020026348.tif 000012
【図１１】
2020026348.tif 000013
【図１２】
2020026348.tif 000014
【図１３】
2020026348.tif 000015
【図１４】
2020026348.tif 000016
【図１５】
2020026348.tif 000017
【図１６】
2020026348.tif 000018
【図１７】
2020026348.tif 000019